(57)【特許請求の範囲】
【請求項１】
器具本体と、器具本体に並設されて放出光を放出する半導体光源と、半導体光源に電源を供給する複数の電源端子と、半導体光源からの放出光を制御する制御信号が入力される複数の信号端子とを備え、電源端子及び信号端子は建物に固定して配設された固定電源端子及び固定信号端子にそれぞれ電気的に接続される照明器具であって、電源端子及び信号端子は器具本体に直接設けられるとともに、電源端子及び信号端子は固定電源端子、固定信号端子と係止して機械的に接続される係止手段を備えることを特徴とする照明器具。
【請求項２】
前記係止手段は、前記器具本体から導出された導出片の端部から突設されて、その導出片とで略Ｌ字型を形成する係止片でもって形成されたことを特徴とする請求項１記載の照明器具。
【請求項３】
前記電源端子及び前記信号端子は前記器具本体の中心部を中心とする同心円上に配設されたものであって、前記電源端子又は前記信号端子のうち少なくとも一つは、中心部に対して非対称に配設されたことを特徴とする請求項１又は請求項２記載の照明器具。
【請求項４】
前記係止片は前記器具本体の中心部を中心に前記器具本体を回転して係止されるとともに、前記半導体光源は中心部を中心とする同心円上に配設されたことを特徴とする請求項１又は請求項２記載の照明器具。
【請求項５】
赤外線又は照度を検知する検知センサは、前記器具本体に設けられたことを特徴とする請求項１又は請求項２記載の照明器具。
【請求項６】
前記検知センサは前記器具本体の中心部に設けられたことを特徴とする請求項５記載の照明器具。
【請求項７】
前記検知センサは、前記器具本体の中心部を中心とする同心円上に複数設けられたことを特徴とする請求項５記載の照明器具。
【発明の詳細な説明】
【０００１】
【発明の属する技術分野】
本発明は、建物の屋内に設置された天井又は壁等に取付けられて、複数の半導体光源を光源とする照明器具に関するものである。
【０００２】
【従来の技術】
従来、この種の照明器具として、図９及び図１０に示す構成のものが存在する。このものは、器具本体Ａと、器具本体Ａに並設されて放出光を放出する複数の半導体光源Ｂと、半導体光源Ｂに電源を供給する電源用コネクタＣと、半導体光源Ｂからの放出光を制御する制御信号が入力される信号用コネクタＤとを備えている。
【０００３】
さらに詳しくは、器具本体Ａは正方形状に成形され、取付孔Ａ1が四隅に設けられて、その取付孔Ａ1に雄ねじを挿通してねじ止めすることによって、建物の天井又は壁等に取付られるとともに、電源用コネクタＣが建物に配線された電源線に、信号用コネクタＤが同様に建物に配線された信号線にそれぞれ電気的に接続される。すなわち、取付孔Ａ1で形成されて天井または壁等へ取付ける機械的接続部と、電源用コネクタＣ及び信号用コネクタＤで形成されて、それぞれ電源線及び信号線に電気的に接続する電気的接続部とが別々に設けられていた。
【０００４】
【発明が解決しようとする課題】
上記した従来の照明器具では、器具本体Ａを建物の天井又は壁等に取付けて、半導体光源Ｂから放出される放出光でもって屋内を照らすことができる。
【０００５】
しかしながら、天井または壁等への機械的接続部と電気的接続部が別々に形成されているので、器具本体Ａを建物に取付ける取付作業と、電源用コネクタＣ及び信号用コネクタＤをそれぞれ電源線及び信号線に電気的に接続する配線作業とを別々に行わなければならず、作業が煩雑になるという問題があった。また、電源用コネクタＣ及び信号用コネクタＤをそれぞれ必要とするために、コストアップを招くという別の問題があった。
【０００６】
本発明は、上記問題点に鑑みてなしたもので、その目的とするところは、器具本体の取付作業、及び配線作業を短時間でかつ容易にできる照明器具を提供することにある。
【０００７】
【課題を解決するための手段】
上記した課題を解決するために、請求項１記載のものは、器具本体と、器具本体
に並設されて放出光を放出する複数の半導体光源と、半導体光源に電源を供給する複数の電源端子と、半導体光源からの放出光を制御する制御信号が入力される複数の信号端子とを備え、電源端子及び信号端子は建物に固定して配設された固定電源端子及び固定信号端子にそれぞれ電気的に接続される照明器具であって、電源端子及び信号端子は器具本体に直接設けられるとともに、電源端子及び信号端子は固定電源端子、固定信号端子と係止して機械的に接続される係止手段を備える構成にしてある。
【０００８】
請求項２記載のものは、請求項１記載のものにおいて、前記係止手段は、前記器具本体から導出された導出片の端部から突設されて、その導出片とで略Ｌ字型を形成する係止片でもって形成された構成にしてある。
【０００９】
請求項３記載のものは、請求項１又は請求項２記載のものにおいて、前記電源端子及び前記信号端子は前記器具本体の中心部を中心とする同心円上に配設されたものであって、前記電源端子又は前記信号端子のうち少なくとも一つは、中心部に対して非対称に配設された構成にしてある。
【００１０】
請求項４記載のものは、請求項１又は請求項２記載のものにおいて、前記係止片は前記器具本体の中心部を中心に前記器具本体を回転して係止されるとともに、前記半導体光源は前記中心部を中心とする同心円上に配設された構成にしてある。
【００１１】
請求項５記載のものは、請求項１又は請求項２記載のものにおいて、赤外線又は照度を検知する検知センサは前記器具本体に設けられた構成にしてある。
【００１２】
請求項６記載のものは、請求項５記載のものにおいて、前記検知センサは前記器具本体の中心部に設けられた構成にしてある。
【００１３】
請求項７記載のものは、請求項５記載のものにおいて、前記検知センサは前記器具本体の中心部を中心とする同心円上に複数設けられた構成にしてある。
【００１４】
【発明の実施の形態】
本発明の第１実施形態を図１乃至図６に基づいて以下に説明する。
【００１５】
１は器具本体で、成形された樹脂により、中心部１１を有した円形状に形成され、一面側１ａ及び他面側１ｂを有して、絶縁性の樹脂からなり３次元的に立体成型された成形基板１２、いわゆるＭＩＤ（Ｍｏｌｄｅｄ  Ｉｎｔｅｒｃｏｎｎｅｃｔｉｏｎ  Ｄｅｖｉｃｅ）が一面側１ａへ装着される。そして、凹状に形成されて光を反射する複数の反射部１２ａが、成形基板１２に中心部１１を中心として同心円上に並設されるとともに、コーティング膜が各反射部１２ａに設けられて反射面を形成する。
【００１６】
２は半導体光源で、ベアチップ状に形成されたいわゆるＬＥＤであり、消費電力が少なく長寿命特性を有し、複数が成形基板１２の反射部１２ａの中心位置に位置して、つまり器具本体１の中心部１１を中心とする同心円上に配設され、透明樹脂２１によって外部から保護されて、それぞれが放出光を放出する。
【００１７】
３は電源端子で、銅又は銅合金により、器具本体１から他面側１ｂへ向かって導出された電源導出片３１と、その電源導出片３１の一端部から突設された電源係止片３２とで略Ｌ字型に形成され、器具本体１の中心部１１を中心とする同心円上に、その中心部１１に対して対称に２個配設されて、半導体光源２に電源を供給する。ここで、器具本体１に対する反対側へ向かって突出した突起３２ａが各電源係止片３２に設けられて、電源係止片３２が係止手段を形成する。このものについては、詳しく後述する。
【００１８】
４は信号端子で、銅又は銅合金により、器具本体１から他面側１ｂへ向かって導出された信号導出片４１と、その信号導出片４１の一端部から突設された信号係止片４２とで略Ｌ字型に形成される。
【００１９】
そして、器具本体１の中心部１１を中心とする同心円上に、その中心部１１に対して対称に２個、非対称に１個合計３個配設されて、半導体光源２からの放出光を制御する制御信号が入力される。ここで、器具本体１に対する反対側へ向かって突出した突起４２ａが信号係止片４２に設けられるとともに、信号係止片４２が係止手段を形成する。このものについても、詳しく後述する。
【００２０】
５は検知センサで、焦電型の赤外線検知素子により、器具本体１の一面側１ａにおける中心部１１に１個設置されて、人体が放出する赤外線を検知して、検知信号を信号端子４に出力する。
【００２１】
固定電源端子６は、銅又は銅合金により、図４に示すように、電源中間片６１と、その電源中間片６１の両端部からそれぞれ逆方向へ突設された第１電源突設片６２及び第２電源突設片６３とで略クランク状に形成され、２個で構成される。そして、各第１電源突設片６２が建物の屋内側に対する反対側の天井板６ａに、すなわち建物に固定されるとともに、建物の屋内に配線された電源線６ｂに接続される。また、略Ｌ字型に形成された２個の挿通溝６ｃが固定電源端子６の隣接位置にて天井板６ａに設けられる。
【００２２】
固定信号端子７は、銅又は銅合金により、信号中間片７１と、その信号中間片７１の両端部からそれぞれ逆方向へ突設された第１信号突設片７２及び第２信号突設片７３とで略クランク状に形成され、３個で構成される。そして、各第１信号突設片７２が建物の屋内側に対する反対側の天井板６ａに、すなわち建物に固定されるとともに、建物の屋内に配線された信号線７ａに接続される。また、略Ｌ字型に形成された３個の挿通溝７ｂが固定信号端子７の隣接位置にて天井板６ａに設けられる。
【００２３】
このものの取り扱い及び操作について、図４乃至図６に基づいて説明する。器具本体１は電源端子３及び信号端子４が天井板６ａの挿通溝６ｃ，７ｂにそれぞれ挿通されて、中心部１１を中心にして回転され、電源係止片３２の突起３２ａ及び信号係止片４２の突起４２ａが、それぞれ第２電源突設片６３及び第２信号突設片７３に接触して、固定電源端子６及び固定信号端子７と、すなわち電源線６ｂ及び信号線７ａとそれぞれ電気的に接続する。
【００２４】
このとき、３個の信号端子４のうち１個が器具本体１の中心部１１に対して非対称に配設されたので、電源端子３と固定電源端子６、及び信号端子４と固定信号端子７との電気的接続を誤接続することがない。
【００２５】
また、電気的に接続すると同時に、電源係止片３２が第２電源突設片６３と天井板６ａとの間に挟み込まれて、第２電源突設片６３に係止されるとともに、信号係止片４２が第２信号突設片７３と天井板６ａとの間に挟み込まれて、第２信号突設片７３に係止され機械的に接続されて、建物に取り付けられる。すなわち、器具本体１を建物に取り付ける取付作業と、電源端子３及び信号端子４をそれぞれ電源線６ｂ及び信号線７ａに電気的に接続する配線作業とを同時に行う。
【００２６】
このものの動作について説明する。検知センサ５は人体が放出する赤外線を検知して、赤外線検知信号を信号端子４を介して、屋内に設置されたコントロール部（図示せず）に出力する。そして、コントロール部は屋内の人間の出入り状態を把握しその出入りを集中管理し、半導体光源２を制御する制御信号を信号端子４に出力して、つまり信号端子４が制御信号を入力されて、半導体光源２はその制御信号に基づいて、放出光を調光又は点滅等の制御をされる。
【００２７】
ここで、器具本体１は回転方向でばらついて取付されても、中心部１１が一定位置に保持され、しかも半導体光源２が中心部１１を中心とする同心円上に配設されている。したがって、半導体光源２からの放出光によって照らされる照明エリアが、取付位置によってばらつくことなく一定範囲となる。
【００２８】
かかる第１実施形態の照明器具にあっては、上記したように、固定電源端子６及び固定信号端子７と係止して機械的に接続する係止手段が、電源端子３及び信号端子４に設けられたから、係止手段が固定電源端子６及び固定信号端子７と係止することによって、器具本体１を機械的に接続する取付作業、及び屋内に配設された固定電源端子６及び固定信号端子７と、電源端子３及び信号端子４とをそれぞれ電気的に接続する配線作業を同時に行って、短時間にかつ効率的に作業を行うことができる。
【００２９】
また、係止手段が器具本体１から導出された電源導出片３１及び信号導出片４１の一端部から突設されて、その電源導出片３１及び信号導出片４１とで略Ｌ字型を形成する電源係止片３２及び信号係止片４２でもってそれぞれ形成されたから、電源係止片３２及び信号係止片４２を固定電源端子６及び固定信号端子７に、それぞれ容易に係止することができる。
【００３０】
また、３個の信号端子４のうち一個が中心部１１に対して非対称に配設されたから、電源端子３と固定電源端子６、及び信号端子４と固定信号端子７との電気的接続を誤配線することなく、それぞれ正しく接続することができる。
【００３１】
また、電源係止片３２及び信号係止片４２が器具本体１を回転して係止されるとともに、半導体光源２が中心部１１を中心とする器具本体１の同心円上に配設されたから、器具本体１が中心部１１を中心とする回転方向でばらついて取付されても、中心部１１が一定位置に保持されるので、半導体光源２からの放出光によって照らされる一定の照明エリアを、ばらつくことなく確保することができる。
【００３２】
また、赤外線を検知する検知センサ５が器具本体１に設けられたから、検知センサ５が人体から放出される赤外線を検知し、その赤外線検知信号に基づいて、半導体光源から放出される放出光を自動的に点滅制御又は調光制御することができる。
【００３３】
また、検知センサ５が器具本体１の中心部１１に設けられたられたから、器具本体１が中心部１１を中心とする回転方向でばらついて取付されても、中心部１１が一定位置に保持されるので、人体を検知する一定の検知エリアをばらつくことなく確保することができる。
【００３４】
なお、第１実施形態では、係止手段を電源係止片３２及び信号係止片４２でもって形成したが、係止手段を電源端子３及び信号端子４にそれぞれ設けられた他のもので形成して、固定電源端子６又は固定信号端子７とそれぞれ係止してもよく、限定されない。
【００３５】
また、第１実施形態では、係止手段を電源端子３及び信号端子４の両方に設けたが、電源端子３又は信号端子４のうちどちらか一つに設けてもよく、限定されない。
【００３６】
また、電源係止片３２及び信号係止片４２が、中心部１１を中心に器具本体１を回転することによって係止されるものとしたが、器具本体１を平行にスライドすることによって係止されるものとしてもよく、限定されない。
【００３７】
また、赤外線を検知する検知センサ５を器具本体１に設けたが、周囲の照度を検知する検知センサを設けて照度検知信号に基づいて自動的に、半導体光源２から放出される放出光を点滅又は調光等の制御をしてもよく、限定されない。
【００３８】
本発明の第２実施形態を図７及び図８に基づいて以下に説明する。なお、第２実施形態では第１実施形態と異なる機能について述べることとし、第１実施形態と実質的に同一機能を有する部材については、同一符号を付して説明を省略する。第２実施形態では、人体検知センサ５が器具本体１の中心部１１ではなく、器具本体１の同心円上に４個設けられる。
【００３９】
かかる第２実施形態の照明器具にあっては、上記したように、検知センサ５が器具本体１の同心円上に４個設けられたから、器具本体１が中心部１１を中心とする回転方向でばらついて取付されても、中心部１１が一定位置に保持されるので、人体を検知する検知エリアを広く、かつばらつくことなく確保することができる。
【００４０】
【発明の効果】
請求項１記載のものは、電源端子及び信号端子が器具本体に直接設けられるとともに、電源端子及び信号端子が固定電源端子、固定信号端子と係止して機械的に接続される係止手段を備えたので、器具本体を機械的に接続する取付作業、及び、屋内に配設された固定電源端子及び固定信号端子と、電源端子及び信号端子とをそれぞれ電気的に接続する配線作業を同時に行って、短時間にかつ効率的に作業を行うことができる。
【００４１】
請求項２記載のものは、請求項１記載のものの効果に加えて、係止手段が器具本体から導出された導出片の端部から突設されて、その導出片とで略Ｌ字型を形成する係止片でもって形成されたから、係止片を固定電源端子又は固定信号端子のうち少なくとも一つと容易に係止することができる。
【００４２】
請求項３記載のものは、請求項１又は請求項２記載のものの効果に加えて、電源端子及び信号端子が器具本体の中心部を中心とする同心円上に配設されたものであれば、電源端子又は信号端子のうち少なくとも一つが中心部に対して非対称に配設されたから、電源端子と固定電源端子、及び信号端子と固定信号端子との電気的接続を誤配線することなく、それぞれ正しく接続することができる。
【００４３】
請求項４記載のものは、請求項１又は請求項２記載のものの効果に加えて、係止片が器具本体を回転して係止されるとともに、半導体光源が中心部を中心とする器具本体の同心円上に配設されたから、器具本体が中心部を中心とする回転方向でばらついて取付されても中心部を一定位置に保持するので、半導体光源からの放出光によって照らされる一定の照明エリアを、ばらつくことなく確保することができる。
【００４４】
請求項５記載のものは、請求項１又は請求項２記載のものの効果に加えて、赤外線又は照度を検知する検知センサが器具本体に設けられたから、検知センサが人体から放出される赤外線を、又は周囲の照度を検知して、その赤外線又は照度を検知した検知信号に基づいて、半導体光源から放出される放出光を自動的に点滅制御又は調光制御することができる。
【００４５】
請求項６記載のものは、請求項５記載のものの効果に加えて、検知センサが器具本体の中心部に設けられたから、係止片が係止された時、器具本体が中心部を中心とする回転方向でばらついて取付されても中心部を一定位置に保持するので、人体を検知する一定の検知エリアをばらつくことなく確保することができる。
【００４６】
請求項７記載のものは、請求項５記載のものの効果に加えて、検知センサが器具本体の同心円上に複数設けられたから、器具本体が中心部を中心とする回転方向でばらついて取付されても、中心部が一定位置に保持されるので、人体を検知する検知エリアを広く、かつばらつくことなく確保することができる。
【図面の簡単な説明】
【図１】本発明の第１実施形態を示す正面図である。
【図２】同上の平面図である。
【図３】同上の下面図である。
【図４】同上の固定電源端子及び固定信号端子が配設された天井板の正面図である。
【図５】同上の固定電源端子及び固定信号端子が配設された天井板の平面図である。
【図６】同上の固定電源端子及び固定信号端子が配設された天井板の下面図である。
【図７】本発明の第２実施形態を示す正面図である。
【図８】同上の下面図である。
【図９】従来例を示す正面図である。
【図１０】同上の下面図である。
【符号の説明】
１      器具本体
２      半導体光源
３      電源端子
３１    電源導出片（導出片）
３２    電源係止片（係止手段）
４      信号端子
４１    信号導出片（導出片）
４２    信号係止片（係止手段）
５      検知センサ
６      固定電源端子
７      固定信号端子
【図１】
0003799787.tif 000002
【図２】
0003799787.tif 000003
【図３】
0003799787.tif 000004
【図４】
0003799787.tif 000005
【図５】
0003799787.tif 000006
【図６】
0003799787.tif 000007
【図７】
0003799787.tif 000008
【図８】
0003799787.tif 000009
【図９】
0003799787.tif 000010
【図１０】
0003799787.tif 000011